(57)【特許請求の範囲】
【請求項１】
コンクリート構造物間の目地部に跨って配置される可撓性の伸縮継手と、
この伸縮継手の両端部の碇着部に当てられて前記コンクリート構造物とで挟むように押える押え部材と、
前記コンクリート構造物に取り付けたアンカーボルトで中間板状部が固定されこの中間板状部の両側に形成される両側板部の基端部を当該コンクリート構造物に当てるとともに、前記両側板部の先端部で前記押え部材を押えて前記碇着部を圧接する固定部材とを備えてなり、
前記押え部材をリップ溝型形状に構成する一方、
前記固定部材の前記両側板部の前記先端部で前記押え部材の溝を挟む上面両側を押えるとともに、前記両側板部の先端上部は、円弧状に形成されることで前記伸縮継手に対して後退し、および／または前記両側板部の先端面を前記押え部材の目地側の側部より後退させ、さらに前記両側板部の前記先端部に、前記押え部材の前記溝内に突出して係止する係止突出部を形成して構成したことを特徴とするコンクリート構造物用伸縮継手の固定構造。
【請求項２】
コンクリート構造物間の目地部に対向する段差部による収納部を形成し前記可撓性の伸縮継手の伸縮部を収納可能に構成したことを特徴とする請求項１記載のコンクリート構造物用伸縮継手の固定構造。
【請求項３】
前記可撓性の伸縮継手の両端部の碇着部に、前記押え部材を可撓性により挟圧し得る一対の突縁部を形成してなることを特徴とする請求項１または２記載のコンクリート構造物用伸縮継手の固定構造。
【請求項４】
前記押え部材に補強部材を固定して設けて補強してなることを特徴とする請求項１〜３のいずれかに記載のコンクリート構造物用伸縮継手の固定構造。
【請求項５】
前記固定部材を前記コンクリート構造物に取り付けるアンカーボルトを、傾斜穴に取り付けても角度修正可能な上部突出代を確保して設けてなることを特徴とする請求項１〜４のいずれかに記載のコンクリート構造物用伸縮継手の固定構造。
【発明の詳細な説明】
【技術分野】
【０００１】
この発明は、コンクリート構造物用伸縮継手の固定構造に関し、コンクリートで構築される水路、水処理施設、トンネル、共同溝などのコンクリート構造物の目地部に可撓性の伸縮継手を設置して止水および相対変位を可能として構造物の破損を防止できるようにしたもので、特に補修に好適なものである。
【背景技術】
【０００２】
コンクリートで構築されるコンクリート構造物である水路や水槽あるいは共同溝等の地中に構築される暗渠などの壁部分の目地部には、内外を止水するとともにその両側のコンクリート構造物の不等沈下や地震時変位並びに温度変化等に起因する壁部分の伸縮等を許容する必要があり、コンクリート構造物の内側にゴムや合成樹脂の止水板などの可撓性の伸縮継手を設けた可撓止水構造が採られている。
【０００３】
このような可撓止水構造として、例えば特許文献１に開示された止水構造があり、図７に示すように、弾性材と一層以上の応力材を埋設した目地材１の中程にＵ型の溝状の余長部２を形成するとともに、両側に係止部３，３を形成して目地材１を構成する一方、コンクリート構造物４，４間の目地部５に形成した凹部６に目地材１の余長部２を納め、両側の係止部３、３をコンクリート構造物４，４に埋設固定したアンカーボルト７と押え板８を介して取り付けるようにしている。これにより、コンクリート構造物４，４の内側への目地材１の突き出しをなくし、水路とする場合の流れの抵抗を防止する。
【０００４】
このような止水構造は、新たにコンクリート構造物を構築する場合だけでなく、既存のコンクリート構造物に設けることで耐震補強を行なうために施工されたり、交換・補修のために施工される。
【０００５】
ところが、この止水構造を既設の暗渠などのコンクリート構造物に施工しようとすると、目地材１を固定するアンカーボルト７をコンクリート構造物４，４に穿孔して取り付ける必要があるが、コンクリート構造物４，４の鉄筋に当たる場合があり、穿孔位置をずらしてアンカーボルト７を取り付けなければならないことも多い。
このため、アンカーボルト７の取り付けが終わった段階で現場でボルトピッチなどを測定し、その結果に合わせて押え板８、目地材１などの製作及び孔加工を行なう必要があり、製作や孔加工が煩雑であり、工期も長くなるという問題がある。
【０００６】
そこで、アンカーボルトの取り付け位置にかかわらず、あらかじめ必要な部材を製作しておくことができ、簡単に可撓止水部材を施工することができる可撓止水構造を提案しており（特許文献２，３）、例えば特許文献２の可撓止水構造１０では、図８に示すように、コンクリート構造物１１，１１間の目地部１２に跨って配置される可撓性の伸縮部１３ａを備えた伸縮継手１３の両端部の碇着部１３ｂに押え部材１７を当て、アンカーボルト１４で中間部１８ｃが支持固定される固定部材１８の先端部１８ａで押え部材１７を押えるとともに、基端部１８ｂをコンクリート構造物１１に当てるようにすることで、アンカーボルト１４の取付位置にかかわらず、所定の位置で押え部材１７を押えて可撓止水継手１３を取り付けることができるようにしている。
【先行技術文献】
【特許文献】
【０００７】
【特許文献１】特開２０００−６４４４６号公報
【特許文献２】特開２００８−２８０７４８号公報
【特許文献３】特開２０１０−１５０８０７号公報
【発明の開示】
【発明が解決しようとする課題】
【０００８】
このような可撓止水構造１０によれば、アンカーボルトの取り付け位置にかかわらず、予め必要な部材を製作しておくことができるものの、直接アンカーボルトで可撓止水継手を固定する場合に比べ、施工高さが高くなったり、伸縮部の大きな可撓止水継手を用いると、施工幅が大きくなるなど、改良の余地がある。
この発明は、かかる従来技術に鑑みてなされたものであって、アンカーボルトの取り付け位置にかかわらず、予め必要な部材を製作しておくことができ、簡単に施工することができるとともに、施工高さや施工幅をコンパクトにすることができるコンクリート構造物用伸縮継手の固定構造を提供しようとするものである。
【課題を解決するための手段】
【０００９】
上記課題を解決するためこの発明の請求項１記載のコンクリート構造物用伸縮継手の固定構造は、コンクリート構造物間の目地部に跨って配置される可撓性の伸縮継手と、この伸縮継手の両端部の碇着部に当てられて前記コンクリート構造物とで挟むように押える押え部材と、前記コンクリート構造物に取り付けたアンカーボルトで中間板状部が固定されこの中間板状部の両側に形成される両側板部の基端部を当該コンクリート構造物に当てるとともに、前記両側板部の先端部で前記押え部材を押えて前記碇着部を圧接する固定部材とを備えてなり、前記押え部材をリップ溝型形状に構成する一方、前記固定部材の前記両側板部の前記先端部で前記押え部材の溝を挟む上面両側を押えるとともに、前記両側板部の先端上部は、円弧状に形成されることで前記伸縮継手に対して後退し、および／または前記両側板部の先端面を前記押え部材の目地側の側部より後退させ、さらに前記両側板部の前記先端部に、前記押え部材の前記溝内に突出して係止する係止突出部を形成して構成したことを特徴とするものである。
【００１０】
この発明の請求項２記載のコンクリート構造物用伸縮継手の固定構造は、請求項１記載の構成に加え、コンクリート構造物間の目地部に対向する段差部による収納部を形成し前記可撓性の伸縮継手の伸縮部を収納可能に構成したことを特徴とするものである。
【００１１】
この発明の請求項３記載のコンクリート構造物用伸縮継手の固定構造は、請求項１または２記載の構成に加え、前記可撓性の伸縮継手の両端部の碇着部に、前記押え部材を可撓性により挟圧し得る一対の突縁部を形成してなることを特徴とするものである。
【００１２】
この発明の請求項４記載のコンクリート構造物用伸縮継手の固定構造は、請求項１〜３のいずれかに記載の構成に加え、前記押え部材に補強部材を固定して設けて補強してなることを特徴とするものである。
【００１３】
この発明の請求項５記載のコンクリート構造物用伸縮継手の固定構造は、請求項１〜４のいずれかに記載の構成に加え、前記固定部材を前記コンクリート構造物に取り付けるアンカーボルトを、傾斜穴に取り付けても角度修正可能な上部突出代を確保して設けてなることを特徴とするものである。
【発明の効果】
【００１５】
この発明の請求項１記載のコンクリート構造物用伸縮継手の固定構造によれば、コンクリート構造物間の目地部に跨って配置される可撓性の伸縮継手と、この伸縮継手の両端部の碇着部に当てられて前記コンクリート構造物とで挟むように押える押え部材と、前記コンクリート構造物に取り付けたアンカーボルトで中間板状部が固定されこの中間板状部の両側に形成される両側板部の基端部を当該コンクリート構造物に当てるとともに、前記両側板部の先端部で前記押え部材を押えて前記碇着部を圧接する固定部材とを備えてなり、前記押え部材をリップ溝型形状に構成する一方、前記固定部材の前記両側板部の前記先端部で前記押え部材の溝を挟む上面両側を押えるとともに、前記両側板部の先端上部は、円弧状に形成されることで前記伸縮継手に対して後退し、および／または前記両側板部の先端面を前記押え部材の目地側の側部より後退させ、さらに前記両側板部の前記先端部に、前記押え部材の前記溝内に突出して係止する係止突出部を形成して構成したので、可撓性の伸縮継手の碇着部に押え部材を当て、アンカーボルトに中間板状部が固定される固定部材の両側板部の先端部２箇所で押え部材を押えるとともに、両側板部の基端部の２箇所をコンクリート構造物に当てるようにすることで、アンカーボルトの位置にかかわらず、所定位置の押え部材を、荷重を分散して面圧を均一化して押えて伸縮継手を固定することができるとともに、コンクリート構造物に変位が生じた場合でも固定部材の両側板部の弾性的な変形を利用して均一な固定状態を維持することができる。これにより、アンカーボルトの取り付け位置が決まる前でも可撓性の伸縮継手、押え部材、固定部材を製作でき、施工も容易で、短期間に交換・補修することができる。
また、前記押え部材をリップ溝型形状に構成したので、板状の場合に比べ、剛性を高めることができるとともに、軽量化を図ることができる。
さらに、前記固定部材の両側板部の前記先端部に、前記押え部材の溝内に突出して係止する係止突出部を形成して構成したので、係止突出部を押え部材の溝内に位置させることで、確実に押えることができ、コンクリート構造物の変位によっても外れることを防止して確実に押さえることができるとともに、固定部材の押え部材の溝からの突き出し部分を極力小さくして伸縮継手が変位した場合の干渉や損傷を防止することができる。
また、固定部材の先端上部を円弧状にして後退させたり、先端面を後退させることで、伸縮継手が大きく変位しても干渉や損傷を一層効果的に防止することができる。
【００１６】
この発明の請求項２記載のコンクリート構造物用伸縮継手の固定構造によれば、コンクリート構造物間の目地部に対向する段差部による収納部を形成し前記可撓性の伸縮継手の伸縮部を収納可能に構成したので、伸縮代の大きな伸縮継手を収納部に収納することで、収納高さを押えることができるとともに、収納幅を小さくすることもでき、コンパクトに構成することができる。
【００１７】
この発明の請求項３記載のコンクリート構造物用伸縮継手の固定構造によれば、前記可撓性の伸縮継手の両端部の碇着部に、前記押え部材を可撓性により挟圧し得る一対の突縁部を形成したので、定着部外側に形成する突縁部と伸縮部の外側を兼用するなどの突縁部とで押え部材を挟むようにすることで、伸縮継手に加わる力や変位に対する安定性を向上することができ、一層水圧などに強い構造とすることができる。
【００１８】
この発明の請求項４記載のコンクリート構造物用伸縮継手の固定構造によれば、前記押え部材に補強部材を固定して設けて補強したので、押え部材が取り付け位置によって垂直や逆さになっても固定した補強部材によって補強することができ、大きな固定力を付与して伸縮継手を固定することができるとともに、均一に固定することができる。
【００１９】
この発明の請求項５記載のコンクリート構造物用伸縮継手の固定構造によれば、前記固定部材を前記コンクリート構造物に取り付けるアンカーボルトを、傾斜穴に取り付けても角度修正可能な上部突出代を確保して設けたので、コンクリート構造物の鉄筋などとの干渉を防止して傾斜した傾斜穴にアンカーボルトを取り付けても上部に突出した部分をハンマーなどで叩いて垂直に修正することができ、アンカーボルトの修正作業を効率的に行うことができるとともに、垂直なアンカーボルトで必要な締め付け力を確保することができる。
【図面の簡単な説明】
【００２１】
【図１】この発明のコンクリート構造物用伸縮継手の固定構造の一実施の形態にかかる部分拡大斜視図である。
【図２】この発明のコンクリート構造物用伸縮継手の固定構造の一実施の形態にかかる全体の概略横断面図である。
【図３】この発明のコンクリート構造物用伸縮継手の固定構造の一実施の形態にかかる押え部材の補強状態を示す説明図である。
【図４】この発明のコンクリート構造物用伸縮継手の固定構造の一実施の形態にかかるアンカーボルトの角度修正状態の説明図である。
【図５】この発明のコンクリート構造物用伸縮継手の固定構造の一実施の形態にかかる固定部材の弾性変形状態を誇張して示す説明図である。
【図６】この発明のコンクリート構造物用伸縮継手の固定構造の他の一実施の形態にかかる全体の概略横断面図である。
【図７】従来の止水構造の横断面図である。
【図８】従来の可撓止水構造の横断面図である。
【発明を実施するための形態】
【００２２】
以下、この発明を実施するための形態について、図面に基づき詳細に説明する。
このコンクリート構造物用伸縮継手の固定構造(以下、単に固定構造とする。)２０では、例えば図２（図６）に示すように、既設のコンクリート構造物２１，２１の目地部２２に跨るように施工することで、止水するとともに、目地部２２の両側のコンクリート構造体２１，２１の不等沈下や地震時変位並びに温度変化等に起因する壁部分の伸縮等を許容するゴムや合成樹脂などの可撓性の伸縮継手２３の固定に特徴があり、新設するアンカーボルト２４のボルトピッチに鉄筋などとの干渉防止のためにズレなどが生じても簡単に対応できるようにするとともに、施工高さや幅を押えてコンパクトにでき、締付け力を分散して均一に固定できるようにしたものであり、しかも,可撓性の伸縮継手２３が変位した場合に固定構造２０と干渉せず、損傷を防止できるようにしたものである。
【００２３】
この固定構造２０に用いられる可撓性の伸縮継手２３は、長尺帯状の幅方向中間部に横断面形状が円弧部２３ａで連続させた略Ｗ字状に蛇行する伸縮部２３ｂを備えるとともに、幅方向両端部に平板状の碇着部２３ｃが設けられてゴムや合成樹脂などの弾性部材で構成され、必要に応じて補強層が一層ないし複数層埋設される。このような円弧部２３ａで連続させ、中間部を垂直方向に蛇行させた伸縮継手２３とすることで、従来の水平方向に折り重ねた伸縮継手に比べ、伸縮部２３ｂが変位などで伸張する場合に自重や摩擦などの影響を抑えてスムーズに伸張させることができ、伸縮継手２３自体の損傷を防止することができる。また、伸縮継手２３の円弧部２３ａの曲率半径をできるだけ大きくすることで変位時の損傷を確実に抑えることができ、変位時に円弧部が伸長する場合の曲げ歪が１００％を越えないようにすることもできる。
【００２４】
この固定構造２０では、コンクリート構造物２１、２１の目地部２２を跨ぐように伸縮継手２３の碇着部２３ｃ、２３ｃが配置されるが、コンクリート構造物２１，２１の目地部２２には、段差部２１ａ，２１ａが対向して溝状に形成され、伸縮継手２３の伸縮部２３ｂを収納する収納部２５としてある。この収納部２５により伸縮継手２３の施工高さを抑えることができる。なお、収納部２５の幅および深さは、伸縮継手２３として必要な伸縮部２３ｂの大きさによって定められる。また、伸縮継手の伸縮代によっては、コンクリート構造物２１，２１に形成する収納部２５を省略することもでき、平坦な目地部２２間に伸縮継手を設置しても良い。
【００２５】
伸縮継手２３は、コンクリート構造物２１、２１の目地部２２上に必要に応じてポリエステルなどの補強布が敷かれ、その上に必要に応じてさらに止水材を介して伸縮継手２３が設置され、この伸縮継手２３の両側の碇着部２３ｃ、２３ｃまでの上部全体を覆うように必要に応じて保護カバー２６が設けられ、この保護カバー２６にも伸縮に対応できる折り畳み部２６aを設けてある。
【００２６】
そして、この固定構造２０では、伸縮継手２３の碇着部２３ｃに当てる押え部材２７が用いられ、上方が開口した略コ字状のリップ溝型形状の横断面形状のもので構成され、例えば溝幅を５０ｍｍ、溝高さを２５ｍｍ、厚さを２ｍｍ、リップ幅を１０ｍｍとする。このリップ溝型形状の横断面形状により、幅５０ｍｍ、厚さ１６．７ｍｍの平板状とする場合に比べ、同一の剛性を確保しながら、重量を１／３．７３に軽量化することができる。
【００２７】
なお、さらに剛性を上げる必要がある場合には、図３に示すように、押え部材２７の溝内に例えば、溝深さと略同一の直方体状の補強部材２７aや断面コ字状のC型鋼の補強部材２７bなどを介在させてアンカーボルトと干渉しない位置でボルトナット２７ｃで固定したり、溶接などで固定することで、押え部材２７が垂直壁面に配置される場合や天井壁面に配置される場合にもずれることなく、安定して補強することができる。
【００２８】
このような押え部材２７を用いる固定構造２０では、押え部材２７をアンカーボルト２４で直接コンクリート構造物２１、２１に固定することなく、伸縮継手２３の外側に植設するアンカーボルト２４を介して固定部材２８を締め付け、この固定部材２８を介して押え部材２７を固定する。
【００２９】
この固定部材２８は、アンカーボルトにて挿通固定される中間板状部２８ａを備えてアンカーボルト１４用の取り付け穴２８ｂが形成され，この中間板状部２８ａの両側を内側に曲げ起こすように曲げ加工して両側板部２８ｃ、２８ｃが形成してある。これら両側板部２８ｃのそれぞれの先端部に押え部材２７を押える押えアーム部２８ｄが突き出すように形成されるとともに、両側板部２８ｃのそれぞれの基端部に中間板状部２８ａと空間を隔てて同一面をなしコンクリート構造物２１に当接されるように内側に突き出した弾性当接部２８ｆを一体に形成して構成してある。そして、この固定部材２８では、押えアーム部２８ｄの突き出し長さが押え部材２７の溝幅と略同一の長さとされ、押えアーム部２８ｄの先端部は押え部材２７の外側に僅かに突き出す状態してある。これにより、伸縮継手２３が大きく変位しても干渉や損傷を防止できるようにしている。
なお、押えアーム部２８dの先端部により伸縮継手２３が大きく変位した場合の干渉や損傷を防止するため、図３（ａ）に示すように、先端上部を円弧状にして後退させたり、同図（ｂ）に示すように、押えアーム部２８dの先端面を押え部材２７より後退させるようにすることが一層効果的である。また、先端上部を円弧状にして後退させることと先端面の後退とを組み合わせるようにしても良い。
【００３０】
この固定部材２８には、押えアーム部２８dの下面に押え部材２７の溝内に突き出して係止される係止突出部２８eが形成してあり、係止突出部２８ｅが押え部材２７の溝幅と略同一大きさとされ、係止突出部２８eの前後で係止できるようにしてある。
なお、係止突出部２８ｅの突出量は伸縮継手２３の変位により押え部材２７が移動しないようにできれば良い。
【００３１】
また、この固定部材２８では、中間板状部２８ａの下面から両側板部２８ｃの押えアーム部２８ｄの下面までの距離（側板部の高さに相当）をアンカーボルト２４に締め付けたときに、押え部材２７を介して伸縮継手２３の碇着部２３ｃをコンクリート構造物２１に圧着するのに必要な面圧を発生できるように設定してある。
【００３２】
さらに、この固定構造２０では、可撓性の伸縮継手２３の両端部の碇着部２３cに、押え部材２７を載置して固定部材２８で締め付ける場合のずれを防止するため、碇着部２３cに一対の突縁部２３d、２３dが形成され、一対の突縁部２３d、２３dの間隔を押え部材２７の幅と略同一ないし狭くすることで、伸縮継手２３の可撓性により押え部材２７を挟圧し得るようにしてある。この固定構造１０では、一対の突縁部２３d、２３dのうち一方が碇着部２３cの外側に形成され上方に突き出す突縁部２３dとされ、もう一方が伸縮部２３bの外面と兼用してある。
これにより、一対の突縁部２３d、２３dで押え部材２７を挟むようにしたり、さらに弾性力で挟むようにすることで、伸縮継手２３に加わる力や変位に対する安定性を向上することができ、一層水圧などに強い構造とすることができる。
【００３３】
次に、このような固定部材２８を用いて伸縮継手２３を設置するこの発明の固定構造２０の施工方法について説明する。
予め、伸縮継手２３、押え部材２７および固定部材２８を工場で製作するとともに、施工現場では、伸縮継手２３の碇着部２３ｃ、２３ｃの外側となるコンクリート構造物２１、２１にアンカーボルト２４を植設する。
【００３４】
この固定構造２０では、アンカーボルト２４を植設する場合に、例えば図４に示すように、コンクリート構造物２１の内部の鉄筋に当るため、穴深さが確保できない場合があり、この場合には、ドリルを傾けて傾斜穴２９を形成し、アンカーボルト２４を植設する。
そして、傾斜穴２９に取り付けたアンカーボルト２４にナット２４ａを取り付けた後、ハンマーによる打撃などでアンカーボルト２４の角度修正を行うことでコンクリート構造物２１の表面に対して垂直となるようにするが、この角度修正が可能な上部突出代を確保したアンカーボルト２４を用意するようにしている。この上部突出代は，例えば２５〜４５ｍｍ程度確保するようにすれば良い。
なお、傾斜穴２９以外の部分へのアンカーボルトの植設には、通常長さ、すなわち固定部材２８を締め付けることができる長さのものを使用すれば良いことは言うまでもない。
また、アンカーボルト２４としては、例えばケミカルアンカーが用いられ、ステンレス製のＭ１６のボルトが使用される。
さらに、傾斜穴に取り付けたアンカーボルトの角度修正は、アンカーボルトにパイプを指して曲げるようにしたり、パイプを介してジャッキなどで外力を加えて曲げるようにすることもできる。
【００３５】
この後、まず、コンクリート構造物２１,２１の目地部２２に跨るように必要に応じて補強布を敷き、その上に必要に応じて止水材を介して伸縮継手２３を配置し、その外側を必要に応じて保護カバー２６で覆って伸縮部材２３を設置する。
なお、コンクリート構造物２１，２１の目地部２２に対向する段差部２１ａ，２１ａが対向して溝状に形成されていない場合には、溝加工を行い伸縮継手２３の伸縮部２３ｂを収納する収納部２５を形成した後、伸縮継手２３の設置を行う。
【００３６】
そして、伸縮継手２３の碇着部２３ｃ、２３ｃ上の一対の突縁部２３d、２３d間、ここでは、碇着部２３cの外側に形成され上方に突き出す突縁部２３dと伸縮部２３bの外面との間に押え部材２７を配置して挟むようにし、押え部材２７の両端部など仮固定に必要な位置において、アンカーボルト２４を利用して固定部材２８を締め付けて押え部材２７を介して伸縮継手２３を仮固定する。
【００３７】
なお、碇着部２３ｃ上に押え部材２７を配置する場合の連結部では、これまでのアンカーボルトで直接固定する場合のようなボルト穴の位置調整のため隙間(クリアランス)が必要でなく、密着させた状態で押え部材２７を配置することができ、特にコーナ部分でも隙間（クリアランス）を設けることなく連結して配置することができ、これによって面圧を均一にして伸縮継手２３を締め付けて取り付けることができる。
【００３８】
こうして仮固定した後、固定部材２８の中間板状部２８ａの取り付け穴２８ｂにアンカーボルト２４を挿通してナット２４ａで仮止めして回転できる状態あるいは移動できる状態とした後、アンカーボルト２４を中心に回転したり、移動して固定部材２８の先端部の係止突出部１８ｅが押え部材２７の溝内に位置して突き出すようにして押えアーム部２８ｄを押え部材２７上に位置させるとともに、基端部の弾性当接部２８ｆをコンクリート構造物２１に当接させる。
【００３９】
この後、ナット２４ａをアンカーボルト２４に締め付けることで固定部材２８を締め付けて押え部材２７を介して伸縮継手２３の碇着部２３ｃをコンクリート構造物２１に圧着する。
【００４０】
このようなアンカーボルト２４への固定部材２８の仮固定、固定部材２８の回転または移動、固定部材２８の締め付け作業を繰り返すことで伸縮継手２３の固定が完了する。
【００４１】
この固定構造２０での固定部材２８による締付け状態では、固定部材２８の中間板状部２８ａに加えられた締付け力が、両側板部２８ｃの押えアーム部２８ｄの２箇所と弾性当接部２８ｆの２箇所の合計４箇所に分散されて加わることになり、これまでのアンカーボルトで直接固定する場合などに比べ、締付け面圧を均一にすることができる。
これにより、アンカーボルト２４のボルトピッチを大きくすることもでき、工数削減を図ることができる。
【００４２】
また、この固定構造２０では、締付け力によって、固定部材２８の両側板部２８ｃが、図５に示すように、外側に広がるように弾性変形するとともに、弾性当接部２８ｆが弾性変形することおよび締付け力によって、押え部材２７の両側部が倒れるように弾性変形した状態で固定されるので、コンクリート構造物２１に変位が生じた場合でもこれらの弾性変形によるばね効果によって締付面圧の低下を低減して固定状態を保持することができる。
【００４３】
さらに、この固定構造２０では、伸縮継手２３の碇着部２３cを直接アンカーボルトで固定する場合に比べ、アンカーボルト２４での締め付けは固定部材２８の中間板状部の厚さだけとなって伸縮継手２３の厚さ分だけ締付高さを低くすることができ、コンクリート構造物２１の内部空間への影響を抑えることができる。
【００４４】
また、固定部材２８の押えアーム部２８ｄの係止突出部２８ｅによって、例えコンクリート構造物２１に変位が生じても固定部材２８の押えアーム部２８ｄが外れ難く、抜け防止効果を増大することができる。
【００４５】
このような固定構造２０によれば、これまでのアンカーボルトの位置が決まってからボルトピッチを測定し、これに基づいて可撓性の伸縮継手、押え部材、保護カバーなどの穴加工をする必要がなく、アンカーボルト２４の設置と並行して可撓性の伸縮継手２３、押え部材２７、固定部材２８の製作を行うことができ、固定構造２０の施工を短期間に完了することができる。また、固定部材２８の先端を押え部材２７から極力突き出さないようにしたり、後退した状態にでき、伸縮継手２３の変位時の干渉や損傷を防止することができる。
【００４６】
また、この固定構造２０によれば、押え部材２７をリップ溝型形状に構成したので、板状の場合に比べ、剛性を高めることができるとともに、軽量化を図ることができる。
さらに、固定部材２８の両側板部２８ｃ，２８ｃの先端部に、押え部材２７の溝内に突出して係止する係止突出部２８ｅを形成して構成したので、係止突出部２８ｅを押え部材１７の溝内に位置させることで、確実に押えることができ、コンクリート構造物２１，２１の変位によっても外れることを防止して確実に押さえることができる。
【００４７】
また、この固定構造２０によれば、コンクリート構造物２１，２１間の目地部２２に対向する段差部２１ａ，２１ａによる収納部２５を形成し，可撓性の伸縮継手２３の伸縮部２３ｂを収納可能に構成したので、伸縮代の大きな伸縮継手２３を収納部２５に収納することで、収納高さを押えることができるとともに、収納幅を小さくすることもでき、コンパクトに固定構造２０を構成することができる。
【００４８】
さらに、この固定構造２０によれば、可撓性の伸縮継手２３の両端部の碇着部２３ｃ，２３ｃに、押え部材２７を可撓性により挟圧し得る一対の突縁部２３ｄを形成したので、碇着部２３ｃの外側に形成する突縁部２３ｄと伸縮部２３ｂの外側を兼用するなどの突縁部２３ｄとで押え部材２７を挟むようにすることで、伸縮継手２３に加わる力や変位に対する安定性を向上することができ、一層水圧などに強い構造とすることができる。
【００４９】
また、この固定構造２０によれば、押え部材２７に補強部材２７ａ，２７ｂを固定して設けて補強したので、押え部材２７が取り付け位置によって垂直や逆さになっても固定した補強部材２７ａ，２７ｂによって補強することができ、大きな固定力を付与して伸縮継手２３を固定することができるとともに、均一に固定することができる。
【００５０】
さらに、この固定構造２０によれば、固定部材２８をコンクリート構造物２１，２１に取り付けるアンカーボルト２４を、傾斜穴２９に取り付けても角度修正可能な上部突出代を確保したので、コンクリート構造物２１の鉄筋などとの干渉を防止して傾斜した傾斜穴２９にアンカーボルト２４を取り付けても上部に突出した部分にナット２４ａを取り付けてハンマーなどで叩いて垂直に修正することができ、アンカーボルト２４の修正作業を効率的に行うことができるとともに、垂直なアンカーボルト２４で必要な締め付け力を確保することができる。
【００５１】
また、この固定構造２０によれば、伸縮継手２３の伸縮部２３ｂを円弧部２３ａで連続させた略W字状の横断面形状として構成したので、伸縮部２３ｂを水平に折り重ねるようにする場合に比べ、大きな変位が加わる場合にもスムーズに伸張させることができ、伸縮部２３ｂの損傷を防止することもできる。さらに、円弧部の曲率半径をできるだけ大きくしておくことで変位時の損傷を確実に抑えることができ、変位時に円弧部が伸長する場合の曲げ歪が１００％を越えないようにすることもできる。
【００５２】
なお、上記実施の形態では、可撓性の伸縮継手として中間部に伸縮部として５つの円弧部で連続する略Ｗ字状の横断面形状のものを例に説明したが、これに限らず、例えば図６に示すように、伸縮部を３つの円弧部で連続する略Ｗ字状の横断面形状のものなど他の形状の可撓性の伸縮継手を用いることもできる。
また、この実施の形態の伸縮継手以外の構成は、収納部が平坦とされている以外は、すでに説明したものと同一であって同一の作用・効果を奏するものであり、同一部材に同一番号を記し、その説明は省略する。
さらに、固定部材の構成も上記実施の形態で説明したものに限らず、同一の機能を備えたものであれば、同様に使用することができる。
【符号の説明】
【００５３】
２０  コンクリート構造物用伸縮継手の固定構造（固定構造）
２１  コンクリート構造物
２２  目地部
２３  可撓性の伸縮継手
２３ａ  円弧部
２３ｂ  伸縮部
２３ｃ  碇着部
２３ｄ  突縁部
２４   アンカーボルト
２４ａ  ナット
２５  収納部
２６  保護カバー
２６ａ  折り畳み部
２７  押え部材
２７ａ  補強部材
２７ｂ  補強部材
２７ｃ  ボルトナット
２８  固定部材
２８ａ  中間板状部
２８ｂ  取り付け穴
２８ｃ  両側板部
２８ｄ  押えアーム部
２８ｅ  係止突出部
２８ｆ  弾性当接部
２９  傾斜穴
【図１】
0005866633.tif 000002
【図２】
0005866633.tif 000003
【図３】
0005866633.tif 000004
【図４】
0005866633.tif 000005
【図５】
0005866633.tif 000006
【図６】
0005866633.tif 000007
【図７】
0005866633.tif 000008
【図８】
0005866633.tif 000009